(57)【要約】【課題】ＩＰ電話アダプタを介してＩＰ網に接続された場合でも適切な通信を行うことができるグループ３ファクシミリ装置を提供することを目的としている。【解決手段】宛先がＩＰ網に接続されている場合には、モデム速度を所定の低速度に設定してモデムトレーニング手順を行うようにしているので、ＩＰ網に発生するパケットの遅延と破棄等が原因となるデータエラーの影響をあまり受けなくなり、その結果、宛先でのデータ受信エラーの発生を抑制することができ、円滑なファクシミリ通信を行うことができるという効果を得る。【選択図】          図２
2004336592.tif 000002
【特許請求の範囲】
【請求項１】
自動発信機能を備えたグループ３ファクシミリ装置において、
発呼時、指定された宛先がＩＰ網に接続されているか否かを判断し、当該宛先がＩＰ網に接続されている場合には、伝送前手順で適用するモデム最高速度の上限値を、所定値に制限することを特徴とするグループ３ファクシミリ装置。
【請求項２】
自動発信機能を備えたグループ３ファクシミリ装置において、
発呼時、指定された宛先がＩＰ網に接続されているか否かを判断し、当該宛先がＩＰ網に接続されている場合、相手端末より通知されるモデム速度を調べ、その通知されたモデム速度があらかじめ設定されているモデム速度上限値を超えている場合、伝送前手順で適用するモデム最高速度の上限値を、当該モデム速度上限値に制限する一方、相手端末より通知されたモデム速度が上記モデム速度上限値よりも小さい場合には、伝送前手順で適用するモデム最高速度の上限値を、その通知されたモデム速度に設定することを特徴とするグループ３ファクシミリ装置。
【請求項３】
自動発信機能を備えたグループ３ファクシミリ装置において、
発呼時、指定された宛先がＩＰ網に接続されているか否かを判断し、当該宛先がＩＰ網に接続されている場合、相手端末より通知されるモデム速度を調べ、その通知されたモデム速度が、当該宛先にあらかじめ設定されているモデム速度上限値を超えている場合、伝送前手順で適用するモデム最高速度の上限値を、当該モデム速度上限値に制限する一方、相手端末より通知されたモデム速度が上記モデム速度上限値よりも小さい場合には、伝送前手順で適用するモデム最高速度の上限値を、その通知されたモデム速度に設定することを特徴とするグループ３ファクシミリ装置。
【請求項４】
前記指定された宛先がＩＰ網に接続されているか否かの判断は、宛先電話番号の前に所定桁数の所定の番号が付加されるか否かにより行うことを特徴とする請求項１または請求項２または請求項３記載のグループ３ファクシミリ装置。
【請求項５】
宛先電話番号の前に所定桁数の所定の番号が付加される場合には、前記指定された宛先がアナログ公衆網に接続されていると判断し、宛先電話番号の前に所定桁数の所定の番号が付加されない場合には、前記指定された宛先がＩＰ網に接続されていると判断することを特徴とする請求項４記載のグループ３ファクシミリ装置。
【発明の詳細な説明】
【０００１】
【発明の属する技術分野】
本発明は、自動発信機能を備えたグループ３ファクシミリ装置に関する。
【０００２】
【従来の技術】
近年、ＩＰ（Ｉｎｔｅｒｎｅｔ  Ｐｒｏｔｏｃｏｌ）網としてのインターネットの普及に伴い、ＡＤＳＬ（Ａｓｙｍｍｅｔｒｉｃ  Ｄｉｇｉｔａｌ  Ｓｕｂｓｃｒｉｂｅｒ  Ｌｉｎｅ）やＦＴＴＨ（Ｆｉｂｅｒ  Ｔｏ  Ｔｈｅ  Ｈｏｍｅ）等の回線網が整備されつつあり、一般家庭等にまで常時接続回線の通信環境が拡大されるようになってきている。
【０００３】
また、このような常時接続回線の通信環境におけるＩＰ網の通信アプリケーションの１つにＩＰ電話通信がある。このＩＰ電話通信は、ＶｏＩＰ（Ｖｏｉｃｅｏｖｅｒ  ＩＰ）と呼ばれるＩＰ網上で音声通話を実現する技術を使用しており、その技術標準には、ＩＴＵ−Ｔ勧告Ｈ．３２３や、ＩＥＴＦ（Ｉｎｔｅｒｎｅｔ  Ｅｎｇｉｎｅｅｒｉｎｇ  Ｔａｓｋ  Ｆｏｒｃｅ）により規定されたＳＩＰ（Ｓｅｓｓｉｏｎ  Ｉｎｉｔｉａｔｉｏｎ  Ｐｒｏｔｏｃｏｌ）と呼ばれるなどが適用される。
【０００４】
このＩＰ電話通信を利用すると、例えば、通話の両端末で同一のＩＳＰを利用した場合は、公衆回線を使用する電話に比べ、通信費を大幅に安価にすることができる。
【０００５】
また、このＶｏＩＰを利用したファクシミリ通信も、提案されている（特許文献１参照）。
【０００６】
【特許文献１】
特開２０００−４１１３１号公報（インターネットプロトコルアドレス化を用いたファクシミリ中継）
【０００７】
また、いわゆるＩＰ電話アダプタを使用することで、従来の公衆回線用の電話器を利用して、ＩＰ電話通信を使用することができる。それと同様に、ＩＰ電話アダプタを使用することで、従来の公衆回線用のグループ３ファクシミリ装置を利用して、ＶｏＩＰを利用したファクシミリ通信を実現することができる。
【０００８】
【発明が解決しようとする課題】
さて、ＩＰ網では、ＩＰ網の中継機能を担うルータでのキュー待ちや処理遅延や、細いアクセス回線でのロングパケット、蓄積交換部分でのキュー待ちや一時的な輻輳などが原因となり、データ伝送速度にゆらぎが発生する。
【０００９】
このようなデータ伝送速度のゆらぎは、ＶｏＩＰ機器内でパケットを音声に復号する際のバッファ処理でそれを吸収するが、吸収しきれない場合はＶｏＩＰ機器内で音声パケットが破棄される。例えば、上述したように、ＩＰ電話アダプタを介して公衆回線用の電話器やグループ３ファクシミリ装置を接続した場合、ＶｏＩＰ機器であるＩＰ電話アダプタにおいて、音声パケットが破棄されることとなり、結果的に音声パケットの遅延と破棄により、音声品質が低下してしまい、また、グループ３ファクシミリ通信においては、データエラーが生じることとなる。
【００１０】
本発明は、かかる実情に鑑みてなされたものであり、ＩＰ電話アダプタを介してＩＰ網に接続された場合でも適切な通信を行うことができるグループ３ファクシミリ装置を提供することを目的としている。
【００１１】
【課題を解決するための手段】
本発明は、自動発信機能を備えたグループ３ファクシミリ装置において、発呼時、指定された宛先がＩＰ網に接続されているか否かを判断し、当該宛先がＩＰ網に接続されている場合には、伝送前手順で適用するモデム最高速度の上限値を、所定値に制限するようにしたものである。
【００１２】
また、自動発信機能を備えたグループ３ファクシミリ装置において、発呼時、指定された宛先がＩＰ網に接続されているか否かを判断し、当該宛先がＩＰ網に接続されている場合、相手端末より通知されるモデム速度を調べ、その通知されたモデム速度があらかじめ設定されているモデム速度上限値を超えている場合、伝送前手順で適用するモデム最高速度の上限値を、当該モデム速度上限値に制限する一方、相手端末より通知されたモデム速度が上記モデム速度上限値よりも小さい場合には、伝送前手順で適用するモデム最高速度の上限値を、その通知されたモデム速度に設定するようにしたものである。
【００１３】
また、自動発信機能を備えたグループ３ファクシミリ装置において、発呼時、指定された宛先がＩＰ網に接続されているか否かを判断し、当該宛先がＩＰ網に接続されている場合、相手端末より通知されるモデム速度を調べ、その通知されたモデム速度が、当該宛先にあらかじめ設定されているモデム速度上限値を超えている場合、伝送前手順で適用するモデム最高速度の上限値を、当該モデム速度上限値に制限する一方、相手端末より通知されたモデム速度が上記モデム速度上限値よりも小さい場合には、伝送前手順で適用するモデム最高速度の上限値を、その通知されたモデム速度に設定するようにしたものである。
【００１４】
また、前記指定された宛先がＩＰ網に接続されているか否かの判断は、宛先電話番号の前に所定桁数の所定の番号が付加されるか否かにより行うようにしたものである。また、宛先電話番号の前に所定桁数の所定の番号が付加される場合には、前記指定された宛先がアナログ公衆網に接続されていると判断し、宛先電話番号の前に所定桁数の所定の番号が付加されない場合には、前記指定された宛先がＩＰ網に接続されていると判断するようにしたものである。
【００１５】
【発明の実施の形態】
以下、添付図面を参照しながら、本発明の実施の形態を詳細に説明する。
【００１６】
図１は、本発明の一実施例にかかる通信システムの一例を示している。
【００１７】
同図において、ＶｏＩＰアダプタ装置（ＩＰ電話アダプタ）ＡＤＰ１の宅内側には、アナログ電話器ＴＬおよびグループ３ファクシミリ装置ＦＸ１が接続されており、ＶｏＩＰアダプタ装置ＡＤＰ１の回線側には、アナログ公衆回線網ＰＳＴＮの回線、および、ＩＰ網ＮＴｐの回線（例えば、ＡＤＳＬ回線）が収容されている。そして、ＶｏＩＰアダプタ装置ＡＤＰ１は、アナログ電話器ＴＬ１とグループ３ファクシミリ装置ＦＸ１を、アナログ公衆回線網ＰＳＴＮまたはＩＰ網ＮＴｐへ接続し、通話またはグループ３ファクシミリ通信を行えるようにしている。
【００１８】
また、アナログ公衆回線網ＰＳＴＮとＩＰ網ＮＴｐは、ゲートウェイ装置ＧＷを介して相互に接続されており、それにより、アナログ公衆回線網ＰＳＴＮに接続されている端末装置と、ＩＰ網ＮＴｐに接続されている端末装置との間で、相互に通信ができるようになっている。
【００１９】
また、ＶｏＩＰアダプタ装置ＡＤＰ２の宅内側にはグループ３ファクシミリ装置ＦＸ２が接続されており、ＶｏＩＰアダプタ装置ＡＤＰ２の回線側には、ＩＰ網ＮＴｐの回線が収容されている。
【００２０】
また、グループ３ファクシミリ装置ＦＸ３，ＦＸ４は、アナログ公衆回線網ＰＳＴＮに接続されている。
【００２１】
ここで、例えば、グループ３ファクシミリ装置ＦＸ１は、ＶｏＩＰアダプタ装置ＡＤＰ１を介して、ＩＰ網ＮＴｐへ接続した場合、ＶｏＩＰアダプタ装置ＡＤＰ２を介してグループ３ファクシミリ装置ＦＸ２との間でグループ３ファクシミリ通信をしたり、さらに、ゲートウェイ装置ＧＷを介して、アナログ公衆回線網ＰＳＴＮに接続されているグループ３ファクシミリ装置ＦＸ３との間でグループ３ファクシミリ通信をすることができる。
【００２２】
また、グループ３ファクシミリ装置ＦＸ１は、ＶｏＩＰアダプタ装置ＡＤＰ１を介して、アナログ公衆回線網ＰＳＴＮへ接続した場合、グループ３ファクシミリ装置ＦＸ４との間でグループ３ファクシミリ通信を行うことができる。
【００２３】
また、ＶｏＩＰアダプタ装置ＡＤＰ１は、アナログ電話器ＴＬまたはグループ３ファクシミリ装置ＦＸ１が発呼する際に電話番号の先頭に番号「０００」を付加した場合には、アナログ公衆回線網ＰＳＴＮを選択し、アナログ電話器ＴＬまたはグループ３ファクシミリ装置ＦＸ１が発呼する際に電話番号の先頭に番号「０００」を付加しなかった場合には、ＩＰ網ＮＴｐを選択するようにしている。
【００２４】
したがって、グループ３ファクシミリ装置ＦＸ１のユーザは、ＩＰ網ＮＴｐを利用して、グループ３ファクシミリ装置ＦＸ２へ発呼する場合には、グループ３ファクシミリ装置ＦＸ２に付与されている電話番号をそのまま指定して発呼動作を行い、また、アナログ公衆回線網ＰＳＴＮに接続されているグループ３ファクシミリ装置ＦＸ４へ発呼する場合には、グループ３ファクシミリ装置ＦＸ４に付与されている電話番号の先頭に番号「０００」を付加した態様で指定して、発呼動作を行う。
【００２５】
一方、グループ３ファクシミリ装置ＦＸ２の場合、接続される回線は、ＩＰ網ＮＴｐの回線のみなので、宛先の電話番号をそのまま指定して発呼動作を行う。
【００２６】
なお、例えば、グループ３ファクシミリ装置ＦＸ１が回線としてＩＰ網ＮＴｐを指定した状態で、グループ３ファクシミリ装置ＦＸ３へ発呼する場合、この場合には、ユーザは、宛先の電話番号としてグループ３ファクシミリ装置ＦＸ３に付与されている電話番号のみを指定して発呼する。この場合には、ＩＰ網ＮＴｐのルーティング機能により、ゲートウェイ装置ＧＷを介して、アナログ公衆回線網ＰＳＴＮへ接続され、グループ３ファクシミリ装置ＦＸ３が呼び出されることとなる。
【００２７】
図２は、本発明の一実施例にかかるグループ３ファクシミリ装置ＦＸ１の構成例を示している。
【００２８】
同図において、システム制御部１は、このグループ３ファクシミリ装置ＦＸ１の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置ＦＸ１に固有な各種の情報を記憶するためのものであり、時計回路４は、現在時刻情報を出力するためのものである。
【００２９】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００３０】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００３１】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３２】
網制御装置１１は、このグループ３ファクシミリ装置ＦＸ１をＶｏＩＰアダプタ装置ＡＤＰ１に接続するためのものであり、自動発着信機能を備えている。
【００３３】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００３４】
また、網制御装置１１とグループ３ファクシミリモデム１０との間のデータのやりとりは、直接行なわれている。
【００３５】
図３は、グループ３ファクシミリ伝送手順の一例を示している。
【００３６】
同図において、まず、発呼側は、着呼側へ発呼し、それにより、着呼側が着信応答すると、発呼側は、所定のトーン信号である信号ＣＮＧを着呼側へ送出する。この信号ＣＮＧを受信すると、着呼側は、所定のトーン信号である信号ＣＥＤ（被呼局識別信号）を発呼側へ応答するとともに、自端末の機能を通知するための信号ＤＩＳ（ディジタル識別信号）を発呼側へ送出する。このとき、着呼側は、信号ＣＳＩ（被呼端末識別）を送出して、自端末の識別情報を発呼側へ通知することができる。
【００３７】
発呼側は、信号ＤＩＳ（および信号ＣＳＩ）を受信すると、着呼側の受信能力を調べて、送信画情報のサイズ、線密度、符号化方式、および、使用するモデム速度等を決定し、その決定した内容を通知するための信号ＤＣＳ（ディジタル命令信号）を着呼側へ送出する。このとき、発呼側は、信号ＴＳＩ（送信端末識別）を送出して、自端末の識別情報を着呼側へ通知することができる。また、発呼側は、信号ＳＩＤ（送信機識別）を送出して、認証のためのパスワードを着呼側へ通知することができる。また、発呼側は、信号ＳＵＢ（サブアドレス）を送出して、転送先等を指示することができる。また、発呼側は、信号ＩＲＡ（インターネットルーティングアドレス）を送出して（図示略）、インターネット上の転送先アドレスを指定することもできる。この信号ＳＩＤ，ＳＵＢ，ＴＳＩ，ＩＲＡの送出は、オプションである。
【００３８】
次いで、発呼側は、信号ＤＣＳで通知したモデム速度でモデムトレーニングを行うために、信号ＴＣＦ（トレーニングチェック）を着呼側へ送出する。着呼側は、信号ＴＣＦを受信すると、受信エラーが発生しているかどうかを調べ、発生していない場合には、信号ＣＦＲ（受信準備確認）を発呼側へ通知する。
【００３９】
それにより、発呼側は、信号ＤＣＳで通知した用紙サイズおよび線密度の１ページ目の画像データを、信号ＤＣＳで指定した符号化方式で符号化圧縮して得た１ページ目の画情報ＰＩＸ１を着呼側へ送信する。１ページ分の画情報の送信を終了すると、この場合には、後続ページが存在するので、メッセージ後信号として信号ＭＰＳ（マルチページ信号）を着呼側へ送出する。なお、画像データの作成は、その時点でスキャナ５を起動して１ページ目の原稿画像を読取入力したり、あるいは、あらかじめ蓄積した１ページ目の蓄積画情報を、通知した用紙サイズおよび線密度に変換し、送信用の画像データを作成することで行うことができる。画情報の作成については、以下同じ。
【００４０】
着呼側は、１ページ目の画情報ＰＩＸ１を受信すると、受信エラーの検出を行い、メッセージ後信号を受信すると、そのときに受信した１ページ分の画情報ＰＩＸ１に受信エラーがない場合には、信号ＭＣＦ（メッセージ確認）を発呼側へ応答する。
【００４１】
それにより、発呼側は、２ページ目の画情報ＰＩＸ２を送信する。この画情報ＰＩＸ２は、画情報ＰＩＸ１と同一のサイズ、線密度、および、符号化方式のものである。この場合、画情報ＰＩＸ２の送信を終了すると、この場合には、後続ページが存在しないので、メッセージ後信号として信号ＥＯＰ（手順終了）を着呼側へ送出する。
【００４２】
着呼側は、２ページ目の画情報ＰＩＸ２を受信すると、受信エラーの検出を行い、メッセージ後信号を受信すると、そのときに受信した１ページ分の画情報ＰＩＸ２に受信エラーがない場合には、信号ＭＣＦを発呼側へ応答する。
【００４３】
これにより、発呼側は、信号ＤＣＮ（切断命令）を着呼側へ送出し、回線を復旧する。また、着呼側は、信号ＤＣＮを受信すると、回線を復旧する。
【００４４】
図４は、グループ３ファクシミリ装置ＦＸ１が、発呼時に行う動作の一例を示している。
【００４５】
まず、ユーザがスキャナ５へ送信原稿をセットし（処理１０１）、操作表示部７を操作して、宛先の電話番号を入力する（処理１０２）。このとき、ユーザは、宛先がＩＰ網ＮＴｐに接続されている場合には、当該宛先に付与されている電話番号のみを入力し、宛先がアナログ公衆回線網ＰＳＴＮに接続されている場合には、当該宛先に付与されている電話番号の先頭に番号「０００」を付加した電話番号を入力する。
【００４６】
ユーザが送信開始を指令するために操作表示部７のスタートキー（図示略）を操作すると（判断１０３の結果がＹＥＳ）、システム制御部１は、網制御装置１１を用いて、宛先へ発呼し（処理１０４）、相手端末より信号ＤＩＳを受信する（処理１０５）。
【００４７】
ここで、このときの宛先がＩＰ網ＮＴｐに接続されているかどうかを、処理１０２で入力された宛先の電話番号の内容により調べる。すなわち、先頭に番号「０００」が付加されている場合には、アナログ公衆回線網ＰＳＴＮに接続されていると判断し、先頭に番号「０００」が付加されていない場合には、ＩＰ網ＮＴｐに接続されていると判断する。
【００４８】
宛先がＩＰ網ＮＴｐに接続されている場合で、判断１０６の結果がＹＥＳになるときには、モデム速度を所定の低速度（例えば、９６００ｂｐｓあるいは４８００ｂｐｓ）に設定する（処理１０７）。また、用紙サイズ等の他の通信条件についても、適宜に設定する。
【００４９】
そして、設定したモデム速度等の通信条件を通知するための信号ＤＣＳを相手端末へ送出する（処理１０８）。続いて、そのときに設定したモデム速度で所定のモデムトレーニング手順を行って、相手端末との間で、そのときに使用するモデム速度を決定する（処理１０９）。
【００５０】
次いで、スキャナ５にセットされた原稿画像の画情報を送信する所定の画情報送信手順を行い（処理１１０）、この画情報送信を終了すると、回線を復旧して（処理１１１）、一連の発呼時の動作を終了する。
【００５１】
また、宛先がＩＰ網ＮＴｐに接続されていない場合で、判断１０６の結果がＮＯになるときには、自端末のモデム速度と、相手端末が使用可能なモデム速度の関係から、所定の選択手法に従ってモデム速度を設定する（処理１１２）。また、用紙サイズ等の他の通信条件についても、適宜に設定する。
【００５２】
次いで、処理１０８へ進み、それ以降の処理を実行して、発呼時の動作を行う。
【００５３】
このようにして、本実施例では、宛先がＩＰ網ＮＴｐに接続されている場合には、モデム速度を所定の低速度に設定してモデムトレーニング手順を行うようにしているので、ＩＰ網ＮＴｐに発生するパケットの遅延と破棄等が原因となるデータエラーの影響をあまり受けなくなり、その結果、宛先でのデータ受信エラーの発生を抑制することができ、円滑なファクシミリ通信を行うことができる。
【００５４】
図５は、グループ３ファクシミリ装置ＦＸ１が、発呼時に行う動作の他の例を示している。
【００５５】
まず、ユーザがスキャナ５へ送信原稿をセットし（処理２０１）、操作表示部７を操作して、宛先の電話番号を入力する（処理２０２）。このとき、ユーザは、宛先がＩＰ網ＮＴｐに接続されている場合には、当該宛先に付与されている電話番号のみを入力し、宛先がアナログ公衆回線網ＰＳＴＮに接続されている場合には、当該宛先に付与されている電話番号の先頭に番号「０００」を付加した電話番号を入力する。
【００５６】
ユーザが送信開始を指令するために操作表示部７のスタートキー（図示略）を操作すると（判断２０３の結果がＹＥＳ）、システム制御部１は、網制御装置１１を用いて、宛先へ発呼し（処理２０４）、相手端末より信号ＤＩＳを受信する（処理２０５）。
【００５７】
ここで、このときの宛先がＩＰ網ＮＴｐに接続されているかどうかを、処理２０２で入力された宛先の電話番号の内容により調べる。すなわち、先頭に番号「０００」が付加されている場合には、アナログ公衆回線網ＰＳＴＮに接続されていると判断し、先頭に番号「０００」が付加されていない場合には、ＩＰ網ＮＴｐに接続されていると判断する。
【００５８】
宛先がＩＰ網ＮＴｐに接続されている場合で、判断２０６の結果がＹＥＳになるときには、相手端末より通知されたモデム速度の最高速度を調べて（処理２０７）、所定の設定下限値以上の値であるかどうかを調べる（判断２０８）。ここで、設定下限値とは、例えば、９６００ｂｐｓあるいは４８００ｐｂｓである。
【００５９】
判断２０８の結果がＹＥＳになるときには、モデム速度を所定の低速度（例えば、９６００ｂｐｓあるいは４８００ｂｐｓ）に設定する（処理２０９）。また、用紙サイズ等の他の通信条件についても、適宜に設定する。
【００６０】
そして、設定したモデム速度等の通信条件を通知するための信号ＤＣＳを相手端末へ送出する（処理２１０）。続いて、そのときに設定したモデム速度で所定のモデムトレーニング手順を行って、相手端末との間で、そのときに使用するモデム速度を決定する（処理２１１）。
【００６１】
次いで、スキャナ５にセットされた原稿画像の画情報を送信する所定の画情報送信手順を行い（処理２１２）、この画情報送信を終了すると、回線を復旧して（処理２１３）、一連の発呼時の動作を終了する。
【００６２】
また、宛先がＩＰ網ＮＴｐに接続されていて、相手端末より通知されたモデム速度の最高速度が設定下限値未満の場合で判断２０８の結果がＮＯになるとき、および、宛先がＩＰ網ＮＴｐに接続されていない場合で、判断２０６の結果がＮＯになるときには、自端末のモデム速度と、相手端末が使用可能なモデム速度の関係から、所定の選択手法に従ってモデム速度を設定する（処理２１４）。また、用紙サイズ等の他の通信条件についても、適宜に設定する。
【００６３】
次いで、処理２１０へ進み、それ以降の処理を実行して、発呼時の動作を行う。
【００６４】
このようにして、本実施例では、宛先がＩＰ網ＮＴｐに接続されている場合、相手端末から通知されたモデム速度の最高速度が所定の設定下限値以上の場合には、モデム速度を所定の設定下限値に設定してモデムトレーニング手順を行うようにしているので、ＩＰ網ＮＴｐに発生するパケットの遅延と破棄等が原因となるデータエラーの影響をあまり受けなくなり、その結果、宛先でのデータ受信エラーの発生を抑制することができ、円滑なファクシミリ通信を行うことができる。
【００６５】
ところで、上述した実施例では、１つの設定下限値を用いているが、宛先毎にこの設定下限値を設定することができる。その場合、例えば、図６（ａ）に示すような最高通信速度下限値設定情報テーブルを設ける。この最高通信速度下限値設定情報テーブルは、複数の最高通信速度下限値設定情報をまとめたものであり、おのおのの最高通信速度下限値設定情報は、同図（ｂ）に示すように、宛先情報（電話番号）と、当該宛先に設定された最高通信速度下限値との組からなる。
【００６６】
図７は、グループ３ファクシミリ装置ＦＸ１が、発呼時に行う動作のさらに他の例を示している。
【００６７】
まず、ユーザがスキャナ５へ送信原稿をセットし（処理３０１）、操作表示部７を操作して、宛先の電話番号を入力する（処理３０２）。このとき、ユーザは、宛先がＩＰ網ＮＴｐに接続されている場合には、当該宛先に付与されている電話番号のみを入力し、宛先がアナログ公衆回線網ＰＳＴＮに接続されている場合には、当該宛先に付与されている電話番号の先頭に番号「０００」を付加した電話番号を入力する。
【００６８】
ユーザが送信開始を指令するために操作表示部７のスタートキー（図示略）を操作すると（判断３０３の結果がＹＥＳ）、システム制御部１は、網制御装置１１を用いて、宛先へ発呼し（処理３０４）、相手端末より信号ＤＩＳを受信する（処理３０５）。
【００６９】
ここで、このときの宛先がＩＰ網ＮＴｐに接続されているかどうかを、処理３０２で入力された宛先の電話番号の内容により調べる。すなわち、先頭に番号「０００」が付加されている場合には、アナログ公衆回線網ＰＳＴＮに接続されていると判断し、先頭に番号「０００」が付加されていない場合には、ＩＰ網ＮＴｐに接続されていると判断する。
【００７０】
宛先がＩＰ網ＮＴｐに接続されている場合で、判断３０６の結果がＹＥＳになるときには、そのときの宛先の電話番号に対応した最高通信速度下限値を、最高通信速度下限値設定情報テーブルより取得する（処理３０７）。そして、相手端末より通知されたモデム速度の最高速度を調べて（処理３０８）、モデム速度の最高速度が、最高通信速度下限値以上の値であるかどうかを調べる（判断３０９）。
【００７１】
判断３０９の結果がＹＥＳになるときには、モデム速度を最高通信速度下限値に設定する（処理３１０）。また、用紙サイズ等の他の通信条件についても、適宜に設定する。
【００７２】
そして、設定したモデム速度等の通信条件を通知するための信号ＤＣＳを相手端末へ送出する（処理３１１）。続いて、そのときに設定したモデム速度で所定のモデムトレーニング手順を行って、相手端末との間で、そのときに使用するモデム速度を決定する（処理３１２）。
【００７３】
次いで、スキャナ５にセットされた原稿画像の画情報を送信する所定の画情報送信手順を行い（処理３１３）、この画情報送信を終了すると、回線を復旧して（処理３１４）、一連の発呼時の動作を終了する。
【００７４】
また、宛先がＩＰ網ＮＴｐに接続されていて、相手端末より通知されたモデム速度の最高速度が、処理３０７で取得した最高通信速度下限値未満の場合で判断３０９の結果がＮＯになるとき、および、宛先がＩＰ網ＮＴｐに接続されていない場合で、判断３０６の結果がＮＯになるときには、自端末のモデム速度と、相手端末が使用可能なモデム速度の関係から、所定の選択手法に従ってモデム速度を設定する（処理３１５）。また、用紙サイズ等の他の通信条件についても、適宜に設定する。
【００７５】
次いで、処理３１１へ進み、それ以降の処理を実行して、発呼時の動作を行う。
【００７６】
このようにして、本実施例では、宛先毎に最高通信速度下限値を設定しているので、宛先の接続環境に応じた適切なモデム速度を設定することが可能となり、より円滑なグループ３ファクシミリ通信を行うことができる。
【００７７】
ところで、上述した実施例では、ＶｏＩＰアダプタ装置ＡＤＰ１に接続されるグループ３ファクシミリ装置ＦＸ１について説明したが、ＶｏＩＰアダプタ装置ＡＤＰ２に接続されるグループ３ファクシミリ装置ＦＸ２も、送信時には、同様の処理を行う。ただし、グループ３ファクシミリ装置ＦＸ２の場合には、回線の切り替えがないので、常にＩＰ網ＮＴｐに接続される状態となる。
【００７８】
また、上述した実施例では、ＶｏＩＰアダプタ装置ＡＤＰ１は、宅内側に接続される端末から出力される選択信号の内容を調べて、その先頭に所定の番号（上述した実施例では、「０００」）が付加されている場合に、ＩＰ網以外の網（この場合は、アナログ公衆回線網ＰＳＴＮ）が選択されたと判断し、選択信号の先頭に所定の番号が付加されていない場合には、ＩＰ網が選択されたと判断するようにしているが、このような使用する回線の指定の判断方法は、それ以外の方法を適用することができる。
【００７９】
【発明の効果】
以上説明したように、本発明によれば、宛先がＩＰ網に接続されている場合には、モデム速度を所定の低速度に設定してモデムトレーニング手順を行うようにしているので、ＩＰ網に発生するパケットの遅延と破棄等が原因となるデータエラーの影響をあまり受けなくなり、その結果、宛先でのデータ受信エラーの発生を抑制することができ、円滑なファクシミリ通信を行うことができるという効果を得る。
【図面の簡単な説明】
【図１】本発明の一実施例にかかる通信システムの一例を示したブロック図。
【図２】本発明の一実施例にかかるグループ３ファクシミリ装置ＦＸ１の構成例を示したブロック図。
【図３】グループ３ファクシミリ伝送手順の一例を示したタイムチャート。
【図４】グループ３ファクシミリ装置ＦＸ１が、発呼時に行う動作の一例を示したフローチャート。
【図５】グループ３ファクシミリ装置ＦＸ１が、発呼時に行う動作の他の例を示したフローチャート。
【図６】最高通信速度下限値設定情報テーブルの一例を示した概略図。
【図７】グループ３ファクシミリ装置ＦＸ１が、発呼時に行う動作のさらに他の例を示しフローチャート。
【符号の説明】
ＦＸ１，ＦＸ２，ＦＸ３，ＦＸ４  グループ３ファクシミリ装置
ＮＴｐ  ＩＰ網
ＡＤＰ１，ＡＤＰ２  ＶｏＩＰアダプタ装置
【図１】
2004336592.tif 000003
【図２】
2004336592.tif 000004
【図３】
2004336592.tif 000005
【図４】
2004336592.tif 000006
【図５】
2004336592.tif 000007
【図６】
2004336592.tif 000008
【図７】
2004336592.tif 000009